(57)【要約】      （修正有）【課題】鍵穴への異物や塵埃の侵入や塩害による鍵穴内の錆びによる鍵の挿入不能や鍵の回転不能を防止すると共に、シリンダー錠自体への加工も不要で、どのようなシリンダー錠でも装着できる鍵穴保護具を提供する。【解決手段】鍵の非挿入状態において弾性部材の弾性復元力によって閉じ状態に保たれた一対の開閉部材９と、開閉部材を開閉可能に保持する収納部材１０と、シリンダー錠の鍵穴形成端面に磁気吸引力によって保持される第１の磁性体１１と、弾性部材と開閉部材を支持し、鍵挿入穴を有し、第１の磁性体が密着した状態で第１の磁性体に対して相対回転可能な第２の磁性体１２と、収納部材、第１の磁性体、及び第２の磁性体を収納するカバー１３とを備える。鍵穴に挿入した鍵の回動に従って、第１の磁性体をシリンダー錠の鍵穴形成端面に密着させたまま、カバー、収納部材、及び第２の磁性体を一体回動できる。【選択図】図２
0003202598.tif 000002
【実用新案登録請求の範囲】
【請求項１】
シリンダー錠の鍵穴を保護する鍵穴保護具であって、
鍵の非挿入状態において弾性部材の弾性復元力によって閉じ状態に保たれた一対の開閉部材と、
前記開閉部材を開き可能に保持する収納部材と、
前記シリンダー錠の鍵孔形成端面に磁気吸引力によって保持され、前記鍵の回動を可能とする開口を有する第１の磁性体と、
前記弾性部材及び前記開閉部材を支持し、鍵挿入穴を有し、かつ前記第１の磁性体に密着した状態で当該第１の磁性体に対して相対回転可能な第２の磁性体と、
前記収納部材、前記第１の磁性体、及び前記第２の磁性体を収納するカバーと、を備え、
鍵を前記カバーと前記第２の磁性体に設けた鍵挿入穴、前記第１の磁性体に設けた開口を通して鍵穴に挿入した状態で、前記第１の磁性体を前記シリンダー錠の鍵穴形成端面に密着させたまま、前記カバー、前記収納部材、前記第２の磁性体を一体化して回動可能な構成を有することを特徴とする鍵穴保護具。
【考案の詳細な説明】
【技術分野】
【０００１】
本考案は、シリンダー錠の鍵穴に鍵が入らくなったり、入っても鍵が回らなくなったりすることに起因してシリンダー錠自体や鍵が使用できなくなるのを防止する鍵穴保護具に関する。
【背景技術】
【０００２】
シリンダー錠の本体はドア等に組み込まれて、そのシリンダー錠の端面に形成された鍵穴のみが外部に露出している。このため、シリンダー錠の鍵穴への故意又は偶発的な異物の侵入、ゴミや粉塵等による鍵穴の詰まり、海に近い地域における塩害による鍵穴内の構成部材の錆び等によりシリンダー錠の鍵穴に鍵を挿入できなくなることがある。このように、シリンダー錠の鍵穴が何らかの理由によって詰まったり、その内部が錆びてしまったりすると、鍵が鍵穴に入らなくなったり、鍵穴に鍵が入っても鍵が回らくなる等の不都合な事態が生じる。
【０００３】
一方、防犯対策として鍵穴を覆う構造を有する技術は広く知られている（例えば、特許文献１及び特許文献２参照）。
【先行技術文献】
【特許文献】
【０００４】
【特許文献１】特開２００９−０９７２２５号公報
【特許文献２】特開２００６−３４８７１４号公報
【考案の概要】
【考案が解決しようとする課題】
【０００５】
上述したような事態が生じた場合、一応の暫定的な対策として、従来から鍵穴に潤滑剤等を注入して鍵穴内を洗浄してシリンダー錠に挿入してシリンダー錠と鍵を再利用できるようにすることが行われているが、このような対策を繰り返しているとシリンダー錠内のシールパッキンが次第に劣化してしまい、シリンダー錠自体の交換を必要とする事態に至る虞がある。
【０００６】
また、シリンダー錠は、そのメーカーによってそれぞれ大きさや形状、寸法が異なっており、仮に特定のメーカーのシリンダー錠のダストカバーのようなものがあってもそれ専用のシリンダー錠への使用に限定され、他の種類のシリンダー錠には適用できないという問題がある。また、ダストカバーを常時装着した状態でシリンダー錠の鍵穴に鍵を抜き差しするためには、例えばダストカバーをラバー製にして、鍵の抜き差しの部分にスリットを形成してシリンダー錠の鍵穴に鍵を挿入する時のみこのスリットを介して挿入できるようにする構造も考えられる。しかしながら、このような構造では、材質がラバー製であるため、長期間装着していることで劣化してスリットの部分が大きく開口してしまい、本来の鍵穴保護具としての役目を果たさないことが懸念される。
【０００７】
本考案の目的は、鍵穴に異物や塵埃が侵入したり鍵穴内が塩害で錆びたりして、鍵が鍵穴に入らなくなったり入っても回らなくなったりすることを確実に防止し、鍵穴に対する鍵の挿入に支障をきたすことなく、しかも、どのような種類のシリンダー錠に対しても、シリンダー錠自体は何らの加工を施すことなく、誰もが容易に装着することのできる汎用性に富んだ鍵穴保護具を提供することにある。
【課題を解決するための手段】
【０００８】
上記目的を達成するために本考案の請求項に係る鍵穴保護具は、
シリンダー錠の鍵穴を保護する鍵穴保護具であって、
鍵の非挿入状態において弾性部材の弾性復元力によって閉じ状態に保たれた一対の開閉部材と、
前記開閉部材を開き可能に保持する収納部材と、
前記シリンダー錠の鍵孔形成端面に磁気吸引力によって保持され、前記鍵の回動を可能とする開口を有する第１の磁性体と、
前記弾性部材及び前記開閉部材を支持し、鍵挿入穴を有し、かつ前記第１の磁性体に密着した状態で当該第１の磁性体に対して相対回転可能な第２の磁性体と、
前記収納部材、前記第１の磁性体、及び前記第２の磁性体を収納するカバーと、を備え、
鍵を前記カバーと前記第２の磁性体に設けた鍵挿入穴、前記第１の磁性体に設けた開口を通して鍵穴に挿入した状態で、前記第１の磁性体を前記シリンダー錠の鍵穴形成端面に密着させたまま、前記カバー、前記収納部材、前記第２の磁性体を一体化して回動可能な構成を有することを特徴とする鍵穴保護具である。
【考案の効果】
【０００９】
本考案によると、シリンダー錠の鍵穴形成面に取り付けて鍵穴に異物や塵埃が侵入したり鍵穴内が塩害で錆びたりして、鍵が鍵穴に入らなくなったり、入っても回らなくなることを確実に防止することができる。
【００１０】
また、鍵穴保護具全体の厚さを薄くすることができ、シリンダー錠の鍵穴形成面に取り付けても、鍵の鍵穴に対する挿入操作には何らの支障を生じることがなく、しかも、どのような種類のシリンダー錠に対しても、シリンダー錠自体には何らの加工を施すことなく、誰もが容易に装着することのできる汎用性に富んだ鍵穴保護具を提供できる。
【図面の簡単な説明】
【００１１】
【図１】シリンダー錠を取り付けたドアの一部を示す斜視図である。
【図２】本考案の鍵穴保護具の各構成部材の分解斜視図である。
【図３】シリンダー錠の鍵孔形成端面に取り付けた本考案の鍵穴保護具の使用状態を示す断面図であり、本考案の鍵穴保護具でシリンダー錠の鍵穴を閉じた状態を示す図である。
【図４】シリンダー錠の鍵孔形成端面に取り付けた本考案の鍵穴保護具の使用状態を示す断面図であり、本考案の鍵穴保護具を取り付けたままシリンダー錠の鍵穴に鍵を挿入した状態を示す図である。
【図５】シリンダー錠の開閉操作を説明する斜視図である。
【考案を実施するための形態】
【００１２】
以下、本考案の一実施形態に係る鍵穴保護具について説明する。なお、図面における各部材の形状、大きさ、寸法は、説明の便宜上一例として挙げたものであり、これに限定されるものではない。
【００１３】
図１はシリンダー錠１を取り付けたドア２の一部を示す斜視図であり、ドア２の室外側面にはシリンダー錠１を覆うカバー３とレバーハンドル４が設けられ、ドア２の開閉面２ａにはシリンダー錠１で開閉されるデットボルト５とレバーハンドル４で開閉されるラッチボルト６が設けられている。
【００１４】
図２は、シリンダー錠１の鍵穴形成端面に取り付ける本考案の鍵穴保護具７の構成部材を示す分解斜視図である。本考案の鍵穴保護具７は、鍵をシリンダー錠１の鍵穴１ｂに挿入していない状態（シリンダー錠１の鍵穴１ｂへの鍵の非挿入状態）において弾性部材８，８の弾性復元力によって閉じ状態のままとなった一対の開閉部材９，９と、開閉部材９，９を開き可能に保持する収納部材１０と、シリンダー錠１の鉄とかステンレス鋼等の磁石が密着する金属でできた鍵穴形成端面１ａに磁気吸引力（磁力）によって保持される第１の磁性体１１と、弾性部材８，８及び開閉部材９，９を支持し、第１の磁性体１１に密着した状態で相対回転可能な第２の磁性体１２と、収納部材１０、第１の磁性体１１、及び第２の磁性体１２を収納するカバー１３と、を備えている。なお、第１の磁性体１１や第２の磁性体１２は、本実施形態の場合、例えばネオジウム磁石でできている。また、収納部材１０やカバー１３は、本実施形態の場合、例えば強度と耐食性に優れたステンレス鋼でできている。
【００１５】
弾性部材８，８は、直径２ｍｍ程度のコイルスプリングである。開閉部材９，９は、鍵挿入方向で見た厚さ（以下、単に「厚さ」とする）を２ｍｍ程度とした長手方向の断面が楕円状を有する２本の棒状体であり、その材質は金属製、樹脂製等の何れであっても良い。なお、開閉部材９，９の断面形状は、本実施形態のように必ずしも楕円形ではなく、断面円形状であっても矩形状であっても良い。ただし、断面板状の場合は互いの対向面を、挿入された鍵の先端で押されたときに、弾性復元力に抗して左右に押し動かし易いように、第２の磁性体１２との摺動接触部分が断面円弧状に形成されているのが好ましい。
【００１６】
収納部材１０は厚さ２ｍｍ程度の枠体であり、弾性部材８，８を収納する弾性部材収納部１０ａ，１０ａと開閉部材９，９を収納する開閉部材収納部１０ｂが夫々貫通空間として形成されている。
【００１７】
第１の磁性体１１はシリンダー錠１の鍵穴形成端面と略同形で厚さ１ｍｍ程度とし、鍵１５の回動を妨げないようにリング状に形成されている。そして、リング状をなす第１の磁性体１１の内側の開口１１ａは、鍵挿入に際して支障をきたさない十分な内径を有している。
【００１８】
第２の磁性体１２は、第１の磁性体１１と外径が同径で厚さ１ｍｍ程度とし、中央部に鍵１５を通す開口１１ａが形成されており、この第１の磁性体１１と第２の磁性体１２は、互いに磁気吸引力で密着した状態で相対回転するようになっている。
【００１９】
カバー１３は、シリンダー錠１の鍵穴形成端面の外径と略同径を有し、弾性部材８，８と開閉部材９，９を収納した収納部材１０と、第１の磁性体１１と、第２の磁性体１２を覆うように上面が開口１３ａを除いて閉塞した厚さの薄い円筒形状を有している。そして、上面の中央には鍵１５を通すスリット状の開口１３ａが形成されている。
【００２０】
以下、本考案の鍵穴保護具７の組み付け手順の一例について説明する。まず、第１の磁性体１１に第２の磁性体１２を磁気吸引力で密着させ、互いに相対回転可能に組み付ける。そして、この第２の磁性体１２に収納部材１０を重ね、弾性部材収納部１０ａ，１０ａに弾性部材８，８を収納し、次いでその弾性部材８，８を圧縮（弾性復元力を増加）させながら開閉部材収納部１０ｂに開閉部材９，９を収納し、その弾性復元力で開閉部材９，９を互いに並列に当接させて閉じ状態を保持させる。
【００２１】
そして、上述のように組み付けられた第１の磁性体１１、第２の磁性体１２、開閉部材９，９と弾性部材８，８を収納した収納部材１０を覆うようにカバー１３を被せ、このカバーの側面に設けたネジ穴１３ｂに取り付けネジ１４をねじ込んで、その取り付けネジ先端を収納部材１０の周面に押圧させる。これにより、収納部材１０とカバー１３は一体となり、カバー１３はシリンダー錠１の鍵穴形成端面１ａに回転可能に組み付けられる状態となる。
【００２２】
そして、本考案の鍵穴保護具７をシリンダー錠１の鍵穴形成端面１ａに取り付ける。この際、シリンダー錠１の鍵穴形成端面１ａに第１の磁性体１１を当接させ、磁気吸引力で密着させる。この場合、磁気吸引力のみではシリンダー錠１への確実な取り付けが行なえない場合は、両面接着テープまたはビス止めを併用して、しっかりと取り付ける。
【実施例】
【００２３】
図３及び図４は、シリンダー錠１の鍵穴形成端面１ａに本考案の鍵穴保護具を取付けた状態を示す断面図であり、図３は、鍵穴１ｂに鍵１５を挿入していない状態を示し、図４は、鍵穴１ｂに鍵１５を挿入した状態を示している。
【００２４】
図３に示すように、鍵穴１ｂに鍵１５を挿入していないとき、開閉部材９，９は、弾性部材８，８の弾性復元力で押圧されることで並んで配置され、互いの対向部が長手方向全体に亘って密着して両者の間が閉じ状態となっている。このため、シリンダー錠１の端面に形成された鍵穴１ｂは外部から密封され、異物や空気中に浮遊する塵埃が侵入して鍵穴が詰まるという事態を回避することが可能となる。また、海岸に近い地域では、シリンダー錠１の内部の構成部材が塩分を含んだ空気に触れないようにでき、塩害で鍵穴内が錆びて鍵１５の挿入ができなくなったり、挿入できても鍵１５が回らなくなったりするという事態を回避することが可能となる。
【００２５】
一方、シリンダー錠１を開閉操作する場合、図５（ａ）に示すように、カバー１３の中央に設けられた開口１３ａから鍵先端を挿入すると、その鍵先端は開閉部材９，９の円弧面を押して開閉部材９，９を弾性部材８，８の弾性復元力に抗して左右に押し動かしなら進入し、第２の磁性体１２の中央に設けられた鍵挿入穴１２ａ、第１の磁性体１１の開口部１１ａを通り、図４に示すようにシリンダー錠１の鍵穴１ｂに進入する。
【００２６】
鍵１５を図４に示すように、鍵穴１ｂの所定位置まで進入させた後、鍵１５を図５（ｂ）の矢印１６方向に回動させる。この場合、第１の磁性体１１と第２の磁性体１２は互いに磁気吸引力で密着した状態で相対回転可能保持されているので、鍵１５の回動に伴って、第１の磁性体１１は、シリンダー錠１の金属製の鍵穴形成端面１ａに密着固定した状態のままとなる一方、第２の磁性体１２と収納部材１０及びカバー１３が鍵の回転に合わせて一緒に回動する。これによって、鍵１５はシリンダー錠１を図５（ｃ）の状態まで回動させて該シリンダー錠を開くことができる。または、矢印方向とは反対方向に回動させてシリンダー錠１を閉じることができる。
【００２７】
以上、シリンダー錠１を例に説明したが、本考案の鍵穴保護具は、鍵穴のある錠であれば、どのような種類の錠であっても適用可能であり、異物や塵埃等が鍵穴内に侵入することによる鍵穴の詰まり、塩害による錠の内部の構成部材に生じる錆び等のトラブルを未然に防止することができる。
【００２８】
また、鍵穴保護具７をシリンダー錠１に取り付ける際は、錠の鍵穴形成面に鍵穴を覆うように上述の要領で本考案に係る鍵穴保護具を取付ければ良い。この場合、鍵穴形成面が金属製であれば、第１の磁性体１１は磁気吸引力で鍵穴形成面に保持できるが、金属製でない場合は両面接着テープまたはビスを併用して取り付ける。このように、極めて簡単な作業で鍵穴保護具７をシリンダー錠１の磁石が密着する金属製の鍵穴形成端面１１ａに簡単に取り付けることができる。
【００２９】
そして、前述したように、その取り付けた第１の磁性体１１の上に第２の磁性体１２、弾性部材８，８、開閉部材９，９を収納した収納部材１０を載置し、これらを覆うようにカバー１３を組み付ければ良い。
【００３０】
以上説明したように、本考案の鍵穴保護具は上述したように、シリンダー錠の種類、形状、寸法の如何に関わらず、そのシリンダー錠の鍵穴を形成する端面に取付けることにより、シリンダー錠の鍵穴への故意又は偶発的な異物の侵入、ゴミや粉塵等による鍵穴の詰まり、海に近い地域における塩害による鍵穴内の構造物の錆び等によりシリンダー錠の鍵穴に鍵を挿入できなくなるという事態を確実に防止することができる。しかも、錠側には何らの加工を施すことなく、誰もが簡単に鍵穴形成面に取付けることができるので、極めて汎用性に富んだものである。
【００３１】
また、本考案の鍵穴保護具は、第１の磁性体１１及び第２の磁性体１２の厚さを１ｍｍ、収納部材１０の厚さを２ｍｍ、カバー１３の厚さを５ｍｍとしているので、カバーの鍵挿入面からシリンダー錠１の鍵穴形成面までの厚さ（距離）が５ｍｍと極めて薄く構成できる。
【００３２】
このため、カバー１３の鍵１５を挿入する開口１３ａからシリンダー錠１の鍵穴１ｂまでの距離が短く、鍵穴１ｂに対する鍵１５の挿入時に、鍵１５を多少傾けて開口１３ａに挿入しても、鍵１５で鍵穴１ｂを傷つけることなく鍵１５を鍵穴１ｂに確実に挿入することができ、錠１５の開閉操作に何らの支障をきたすことがなく、シリンダー錠１の開閉をスムーズに行うことができる。
【００３３】
なお、上述した実施形態は、あくまで本考案の一例を示すもので、本考案の範囲を逸脱しなければ上述のような寸法、材質、形状に本考案を限定する必要はなく、適宜設計変更を可能とすることは言うまでもない。
【符号の説明】
【００３４】
１    シリンダー錠
１ａ    鍵穴形成端面
１ｂ    鍵穴
２    ドア
２ａ    開閉面
３    カバー
４    レバーハンドル
５    デッドボルト
６    ラッチボルト
７    鍵穴保護具
８、８    弾性部材
９、９    開閉部材
１０    収納部材
１０ａ    弾性部材収納部
１０ｂ    開閉部材収納部
１１    第１の磁性体
１１ａ    開口
１２    第２の磁性体
１２ａ    鍵挿入穴
１３    カバー
１３ａ    開口
１３ｂ    ネジ穴
１４    取付けネジ
１５    鍵
１６    矢印
【図１】
0003202598.tif 000003
【図２】
0003202598.tif 000004
【図３】
0003202598.tif 000005
【図４】
0003202598.tif 000006
【図５】
0003202598.tif 000007